(57)【要約】【課題】電源ケーブルや通信ケーブル等を容易に取出すことができて優れた施工性を発揮するケーブル取出し機能を有する配管ダクトを提供する。【解決手段】上部を開口した断面コ字状のダクト本体１と前記開口を塞ぐ蓋体２からなるケーブル収納用の配管ダクトであって、前記ダクト本体１の側壁面１ａにケーブル引出し用の膨出空洞部３を突設し、この膨出空洞部３にケーブル３０を長手方向に対し４５°以下の角度で引出す傾斜面５を設けた。前記膨出空洞部３は、平面視で直角三角形状であり直角部を頂点としてあるものとすることや、平面視で等脚台形状であり等脚部を傾斜面５としてあるものとすることができる。【選択図】図１
2012060698.tif 000002
【特許請求の範囲】
【請求項１】
上部を開口した断面コ字状のダクト本体と前記開口を塞ぐ蓋体からなるケーブル収納用の配管ダクトであって、前記ダクト本体の側壁面にケーブル引出し用の膨出空洞部を突設し、この膨出空洞部にケーブルを長手方向に対し４５°以下の角度で引出す傾斜面を設けたことを特徴とする配管ダクト。
【請求項２】
膨出空洞部が平面視で直角三角形状であり、直角部を頂点としてある請求項１に記載の配管ダクト。
【請求項３】
膨出空洞部が平面視で等脚台形状であり、等脚部を傾斜面としてある請求項１に記載の配管ダクト。
【請求項４】
膨出空洞部がダクト本体の両側壁面に突設されている請求項１〜３のいずれかに記載の配管ダクト。
【請求項５】
ダクト本体内が、セパレータにより通信ケーブルの収納エリアと電源ケーブルの収納エリアに隔離されている請求項１〜４のいずれかに記載の配管ダクト。
【発明の詳細な説明】
【技術分野】
【０００１】
本発明は、電源ケーブルや通信ケーブル等を容易に取出すことができて優れた施工性を発揮するケーブル取出し機能を有する配管ダクトに関するものである。
【背景技術】
【０００２】
例えば鉄道の縦断管路の配管方式として、コンクリート製のダクト内に電源ケーブルや通信ケーブル等を収納させたものが知られている。一方、高速道路では縦断管路は地中に埋設したものが一般的であるが、最近では、再生プラスチックを原料とした軽量ダクト（特許文献１を参照）を用いた配管方式の採用が検討されている。この軽量ダクトは、成形性に優れており、また軽量性、難燃性、耐荷重性、耐衝撃性、耐腐食性等にも優れたものである。
【０００３】
なお、前記ダクト内の電源ケーブルや通信ケーブル等は、必要に応じてダクトから取出されたうえ、本線上の設備に接続されている。このケーブル３０の取出しは、図７に示されるように、ダクト３１の側面に形成した孔３２から取出すのが普通である。なお、３３は分岐配管である。
【０００４】
しかしながら、従来のケーブルの取出し方法ではケーブル３０を９０°曲げることになるので、ケーブルの屈曲半径を確保するためにケーブル外径の１０倍相当以上のダクト巾が必要となり、ダクト３１が大型化するという問題があった。また、複数本のケーブルが収納されている場合は、前記屈曲するケーブルを跨ぐ必要があり、ダクトの使用断面積が小さくなるという問題や、ケーブル３０を引っ張って取出す際にケーブルを傷付ける現象が発生しやすいという問題もあった。また、上記のようにケーブル取出しのために巾の広い特別なダクトを準備したり、あるいは接続用のハンドホールを設置する必要がありコストアップを招くという問題があった。
【先行技術文献】
【特許文献】
【０００５】
【特許文献１】特開２０００−２６１９４５号公報
【発明の概要】
【発明が解決しようとする課題】
【０００６】
本発明は上記のような問題点を解決して、ケーブルの取出しが容易にできて優れた施工性を発揮することができ、またケーブルを大きく屈曲させないのでダクトを小型化することができるうえ使用断面積も大きくすることができ、更には取出しの際にケーブルが傷付くのを防止することができる配管ダクトを提供することを目的として完成されたものである。
【課題を解決するための手段】
【０００７】
上記課題を解決するためになされた本発明の配管ダクトは、上部を開口した断面コ字状のダクト本体と前記開口を塞ぐ蓋体からなるケーブル収納用の配管ダクトであって、前記ダクト本体の側壁面にケーブル引出し用の膨出空洞部を突設し、この膨出空洞部にケーブルを長手方向に対し４５°以下の角度で引出す傾斜面を設けたことを特徴とするものである。
【０００８】
膨出空洞部が平面視で直角三角形状であり、直角部を頂点としてあるのが好ましく、これを請求項２に係る発明とする。
【０００９】
また、膨出空洞部が平面視で等脚台形状であり、等脚部を傾斜面としてあるものとすることもでき、これを請求項３に係る発明とする。
【００１０】
前記膨出空洞部をダクト本体の両側壁面に突設することもでき、これを請求項４に係る発明とする。
【００１１】
更に、前記ダクト本体内が、セパレータにより通信ケーブルの収納エリアと電源ケーブルの収納エリアに隔離されているものとすることもでき、これを請求項５に係る発明とする。
【発明の効果】
【００１２】
請求項１に係る発明では、ダクト本体の側壁面にケーブル引出し用の膨出空洞部を突設し、この膨出空洞部にケーブルを長手方向に対し４５°以下の角度で引出す傾斜面を設けたので、従来のようにケーブルを大きく屈曲させずに、できる限りケーブルの流れ方向に沿って引出すことが可能となり、ダクトの巾を小型化することができ、また取出しの際にケーブルが傷付くのも防止できることとなる。
【００１３】
請求項２に係る発明では、膨出空洞部が平面視で直角三角形状であり、直角部を頂点としてあるので、膨出空洞部の成形を簡単に行うことができ、また強度的にも丈夫なものとすることができる。
【００１４】
請求項３に係る発明では、膨出空洞部が平面視で等脚台形状であり、等脚部を傾斜面としてあるので、同様に膨出空洞部の成形を簡単に行うことができ、また強度的にも丈夫なものとすることができる。
【００１５】
請求項４に係る発明では、膨出空洞部をダクト本体の両側壁面に突設したので、複数のケーブルを同時に、かつ、いずれの方向にも分岐することができ便利である。
【００１６】
また、請求項５に係る発明では、ダクト本体内が、セパレータにより通信ケーブルの収納エリアと電源ケーブルの収納エリアに隔離されているものとしたので、種類の異なったケーブルをスッキリと区分けでき、また任意に分岐させることが可能となる。
【図面の簡単な説明】
【００１７】
【図１】本発明の実施の形態を示す斜視図である。
【図２】図１の平面断面図である。
【図３】図１で蓋体を外した状態の斜視図である。
【図４】その他の実施の形態を示す平面断面図である。
【図５】その他の実施の形態を示す平面断面図である。
【図６】その他の実施の形態を示す平面断面図である。
【図７】従来のケーブルの分岐例を示す平面断面図である。
【発明を実施するための形態】
【００１８】
以下に、図面を参照しつつ本発明の好ましい実施の形態を示す。
図１は、本発明の配管ダクトの一例を示す斜視図、図２は図１の平面断面図、図３は図１で蓋体を外した状態の斜視図である。この配管ダクトは、高速道路等の端縁部に上面を地上に露出した状態で設置され、ダクト内に収納した電源ケーブルや通信ケーブル等を、必要に応じてダクトから取出したうえ、本線上の設備に接続するものである。
【００１９】
図において、１は上部を開口した断面コ字状のダクト本体、２は前記開口を塞ぐ蓋体２であり、３０はこの配管ダクト内に収納されるケーブルである。また、前記ダクト本体１と蓋体２は、従来のコンクリート製のダクトではなく、再生プラスチックを原料とした軽量ダクトであるため、成形性に優れており、後述する種々の形状からなるケーブル引出し用の膨出空洞部を形成することが可能である。
図示のものでは、ダクト本体１の大きさは長さが５００〜２０００ｍｍ、巾が１５０〜３００ｍｍ、深さが１５０〜３００ｍｍ程度のものであるが、これに限定されるものではない。
【００２０】
前記ダクト本体１の側壁面１ａには、ケーブル引出し用の膨出空洞部３が突設されている。また、この膨出空洞部３には、ケーブル３０を長手方向に対し４５°以下の角度で引出す傾斜面５が設けられている。
即ち、従来はケーブル３０を９０°曲げてダクトの側面に形成した孔から取出していたのにかえて、本発明ではケーブル３０を長手方向に対し４５°以下の角度で引出すことによりダクト本体１内でケーブル３０を大きく曲げないようにしてある。４５°より大きくなるとケーブル３０の曲率半径が大きくなって、巾の広いダクト本体１が必要になるとか、ケーブル３０を引出す際に傷をつける等の問題が生じるからである。好ましくは３０°以下の角度で、なるべくケーブル３０の長手方向と並行に近い角度で引出すことが好ましい。
【００２１】
前述したように、ケーブル３０を長手方向に対し４５°以下の角度で引出すには、膨出空洞部３に透孔４付きの傾斜面５を設ける必要がある。この傾斜面５の存在により、ケーブル３０を確実に固定して一定の方向へ引出すことが可能になるのである。なお、前記透孔４はケーブル３０を引出す傾斜面５に対し後加工で形成するものであり、また雨水等の浸入を防止するように分岐配管３３が装着される。
【００２２】
前記膨出空洞部３は、具体的には膨出空洞部３が平面視で直角三角形状であり、直角部を頂点としたものとすることができる。
図１〜図３に示すものでは、膨出空洞部３は平面視で二等辺直角三角形状であり、直角部を頂点として等しい二辺を各々傾斜面５としている。これらの傾斜面５には、引出すケーブルに対応して各々透孔４を設けることができ、ケーブル３０をいずれの方向にも、また複数本を同時に引出すことができるようになっている。また、透孔４には分岐配管３３を装着して雨水等の浸入を防止している。図示の膨出空洞部３では、ケーブル３０を長手方向に対し４５°の角度で引出すことができる。
【００２３】
図４では、膨出空洞部３が平面視で直角三角形状であり、直角部を頂点としたものが片側に２個ずつ突設してある。直角三角形の残りの角度は略６０°、３０°であり６０°側の傾斜面５に透孔４を設けてケーブル３０を長手方向に対し約３０°の角度で引出すよう構成されている。なお、ケーブル３０をいずれの方向にも、また複数本を同時に引出すことができることは勿論である。
【００２４】
図５に示すものでは、膨出空洞部３が平面視で等脚台形状であり、等脚部をケーブル引出し用の傾斜面５としている。等脚部の角度はダクト本体１の長手方向に対し約６０°であり、ここに透孔４を設けてケーブル３０を長手方向に対し約３０°の角度で引出すよう構成されている。なお、ケーブル３０をいずれの方向にも、また複数本を同時に引出すことができることは勿論である。
【００２５】
また、図示のものでは、膨出空洞部３がダクト本体１の両側壁面１ａ、１ａに突設されており、ケーブル３０をいずれの方向にも、また複数本を同時に引出すこともできるようになっているが、用途に応じて片方の側壁面１ａにだけ突設したものとしてもよいことは勿論である。
【００２６】
更に、図６に示すものでは、ダクト本体１内が、セパレータ６により通信ケーブル３０ａの収納エリアと電源ケーブル３０ｂの収納エリアに隔離されたものとなっている。
ダクト本体１内に通信ケーブル３０ａと電源ケーブル３０ｂを併設する場合は、両者を耐火性のある堅牢な隔壁で隔離することが義務付けられているが、この場合にも軽量ダクト製のセパレータ６により内部を分離し、各々の側壁面１ａ、１ａに前記膨出空洞部３を突設しておけば、任意にケーブル３０を長手方向に対し約３０°の角度で引出すことが可能となる。
【００２７】
以上のように構成された本発明の配管ダクトは、高速道路の端縁部に見えるように設置されて使用に供されるものであり、必要に応じてダクト本体内の電源ケーブルや通信ケーブル等が取出されたうえ、本線上の設備に接続される。
本発明では膨出空洞部の傾斜面を介してケーブルを長手方向に対し４５°以下の角度で引出すよう構成されているので、ダクト本体内でケーブルを大きく曲げることがなくダクトの巾を小さくすることができる。また、従来のように屈曲したケーブルがダクト本体内を横切らないので、ダクトの使用断面積を小さくすることもない。また、ケーブルを引っ張って取出す際にもケーブルを大きく曲げないので傷付ける心配もない。更には、ケーブル取出しのために巾の広い特別な寸法のダクトを準備する必要がなく、普通のダクトとの互換性もあり必要に応じて任意の場所でケーブルの取出しを行うことができ、またダクトの巾を全て同一サイズに揃えることが可能で外観的にスッキリしてデザイン的にも優れている等の種々の利点を有している。
【符号の説明】
【００２８】
１  ダクト本体
２  蓋体
３  膨出空洞部
４  透孔
５  傾斜面
６  セパレータ
３０  ケーブル
30a   電源ケーブル
30b   通信ケーブル
３３  分岐配管
【図１】
2012060698.tif 000003
【図２】
2012060698.tif 000004
【図３】
2012060698.tif 000005
【図４】
2012060698.tif 000006
【図５】
2012060698.tif 000007
【図６】
2012060698.tif 000008
【図７】
2012060698.tif 000009